(57)【要約】    【課題】  花粉をはじめとする浮遊物の付着を防止するためのエアゾール組成物を提供すること。    【解決手段】  （１）粒径1〜30nmの二酸化ケイ素及び前記二酸化ケイ素100重量部に対して5〜1000000重量部の分散媒を含む原液と、（２）噴射剤とを含む、浮遊物の付着を防止するためのエアゾール組成物。【選択図】  なし【特許請求の範囲】
【請求項１】
（１）平均粒径1〜30nmの二酸化ケイ素及び前記二酸化ケイ素100重量部に対して5〜1000000重量部の分散媒を含む原液と、（２）噴射剤とを含む、浮遊物の付着を防止するためのエアゾール組成物。
【請求項２】
原液100重量部に対して、噴射剤を5〜80重量部含む請求項1記載の組成物。
【請求項３】
分散媒が水及びアルコール類からなる群から選ばれる少なくとも一種を含む請求項1又は2に記載の組成物。
【請求項４】
浮遊物が花粉である請求項1〜3のいずれかに記載の組成物。
【請求項５】
浮遊物の付着を防止する対象が繊維製品である請求項1〜4のいずれかに記載の組成物。
【請求項６】
請求項1〜4のいずれかに記載のエアゾール組成物を、対象物に対して噴射することを特徴とする浮遊物付着防止方法。
【請求項７】
対象物が繊維製品である請求項6記載の方法。
【発明の詳細な説明】
【技術分野】
【０００１】
本発明は、浮遊物が付着するのを防止するためのエアゾール組成物に関する。
【背景技術】
【０００２】
花粉症は、花粉が体内に入ることにより、クシャミ、鼻水、頭痛、流涙、目のかすみ、全身倦怠感等の様々な症状を生じるアレルギー疾患である。現在、多くの人が花粉症を患っており、深刻な社会問題となっている。
【０００３】
花粉症を治療するための様々な医薬品や治療法が研究されているが、アレルゲンである花粉を体内に侵入させないことに勝る方法はない。そこで、花粉が体内に侵入するのを防ぐために、花粉を通過させないマスクや眼鏡等が数多く開発されている。
【０００４】
しかしながら、例えば、外出した際に、花粉が体内に侵入しなかったとしても、衣類等に付着した花粉はそのまま屋内に持ち込まれる。衣類等に付着した花粉が屋内で浮遊し、その花粉が体内に侵入することにより花粉症が発症又は悪化することも多い。
【０００５】
そこで、花粉が付着しにくくなるように、または付着しても簡単に落とすことができるように、繊維構造物を加工する方法が開発されている。しかしながら、このような加工を行うためには、専用の機械や技術が必要であり、一般家庭で行うことは非常に困難である（例えば、特許文献１参照。）。さらに、このような方法ではコストがかかるので好ましくない。
【０００６】
また、汚れやほこりの付着防止作用を有するエアゾール用洗浄剤が提案されているが、これはCD、MD等のディスク用であり、繊維類には適用できない（例えば、特許文献２参照。）。
【特許文献１】特開２００４−３０４６公報
【特許文献２】特開平８−４１４９４号公報
【発明の開示】
【発明が解決しようとする課題】
【０００７】
そこで、本発明は、上記した従来技術の現状に鑑み、花粉をはじめとする浮遊物の付着を防止するためのエアゾール組成物を提供することを主な目的とする。
【課題を解決するための手段】
【０００８】
本発明者は、上記の様な技術の現状に留意しつつ、研究を進めた結果、特定の平均粒径を有する二酸化ケイ素を含むエアゾール組成物が、優れた浮遊物付着防止効果を発揮することを見出し、本発明を完成させるに至った。
【０００９】
すなわち、本発明は、以下の通りである。
【００１０】
１．（１）平均粒径1〜30nmの二酸化ケイ素及び前記二酸化ケイ素100重量部に対して5〜1000000重量部の分散媒を含む原液と、（２）噴射剤とを含む、浮遊物の付着を防止するためのエアゾール組成物。
【００１１】
２．原液100重量部に対して、噴射剤を5〜80重量部含む上記項1記載の組成物。
【００１２】
３．分散媒が水及びアルコール類からなる群から選ばれる少なくとも一種を含む上記項1又は2に記載の組成物。
【００１３】
４．浮遊物が花粉である上記項1〜3のいずれかに記載の組成物。
【００１４】
５．浮遊物の付着を防止する対象が繊維製品である上記項1〜4のいずれかに記載の組成物。
【００１５】
６．上記項1〜4のいずれかに記載のエアゾール組成物を、対象物に対して噴射することを特徴とする浮遊物付着防止方法。
【００１６】
７．対象物が繊維製品である上記項6記載の方法。
【００１７】
（１）エアゾール組成物
本発明のエアゾール組成物は、（１）平均粒径1〜30nm程度の二酸化ケイ素（以下、「シリカ」ということがある。）及び当該シリカを分散させるための分散媒を含む原液と、（２）噴射剤とを含む。
【００１８】
このエアゾール組成物を繊維製品等の対象物に対して噴射することにより、得られた繊維製品に浮遊物が付着するのを防止することができる。本明細書において、浮遊物が付着するのを防止するとは、浮遊物が繊維製品等に付着すること自体を妨げること、また、繊維製品等に付着した浮遊物を軽く払う程度で容易に除去することができることを含む。
【００１９】
シリカ
本発明のエアゾール組成物に使用するシリカは、例えば、電子顕微鏡を用いて測定した場合の平均粒径が、1〜30nm程度、好ましくは5〜20nm程度と微細な粒子のものを使用する必要がある。このような微細なシリカは、繊維製品等の対象物に対して噴射されたときに繊維間に容易に入ることができ、またその場所で長時間留まることができるので、優れた浮遊物付着防止効果を発揮することができる。また、このようなシリカは、平均粒径の大きなシリカを使用する場合に、繊維と付着させるためのバインダーを必要としない点においても有利である。
【００２０】
本発明において、シリカは、粉末状のシリカを使用することもできるし、コロイダルシリカを使用することもできる。これらは市販のものを使用することができる。
【００２１】
分散媒
シリカを分散させるための分散媒としては、例えば、水及びアルコール類からなる群から選ばれる少なくとも一種を使用するのが好ましい。
【００２２】
水の種類は限定されない。例えば、水道水、蒸留水、イオン交換水、超純水等を使用することができる。また、アルコール類としては、炭素数が1〜4の1価のアルコールが好ましい。例えば、メタノール、エタノール、n−プロパノール、i−プロパノール、n−ブタノール、i−ブタノール等を挙げることができる。上記水及びアルコールは、一種を単独で使用することもできるし、二種以上を併用することもできる。
【００２３】
また、原液中における分散媒の量は、シリカ100重量部に対して、5〜1000000重量部、好ましくは、10000〜500000重量部程度とすればよい。シリカとしてコロイダルシリカを使用する場合には、そのコロイダルシリカにおける分散媒を含めた分散媒の合計量が、この範囲内にあればよい。
【００２４】
この範囲において、上記平均粒径を有するシリカの良好な分散性が保たれるからである。また、このような原液を有する組成物が噴射された繊維製品等が風合いを損なうこともない。さらに、対象物に噴射したときに、過剰なシリカが繊維製品等の表面にあふれて、白っぽくなる等の弊害が生じない。
【００２５】
噴射剤
本発明のエアゾール組成物に使用する噴射剤は限定されず、公知の噴射剤を使用することができる。好ましくは、炭酸ガス、窒素、亜酸化窒素、液化石油ガス（LPG）、ジメチルエーテル（DME）、フロンガス、圧縮空気等を使用することができる。これらの噴射剤は一種を単独で使用することもできるし、二種以上を併用することもできる。
【００２６】
噴射剤の使用量も限定されず、適宜選択することができる。例えば、原液100重量部に対して、 5〜80重量部程度、好ましくは、20〜50重量部程度とすればよい。
【００２７】
その他
本発明のエアゾール組成物は、上記成分の他に、帯電防止剤、撥水剤、撥油剤、抗菌剤、防腐剤、香料、顔料、消臭剤等を必要に応じて配合してもよい。例えば、柔軟剤としては、アルコール系柔軟剤、油脂系柔軟剤、エチレングリコール系柔軟剤、界面活性剤系柔軟剤、ポリエチレンワックス系柔軟剤、シリコーン系柔軟剤等；帯電防止剤としては、ポリエチレンオキシド、ポリオキシエチレングリコールフェニルエーテル、ポリオキシエチレンモノオレート、ポリオキシエチレンラウリルエーテル、ポリオキシエチレンソルビタンモノオレート、オクタイノル−Ｎ−メチルグルカミド、オクタデシルアミン酸等；撥水・撥油剤としては、ジメチルシリコーンオイル、アルキル変性シリコーンオイル、フロロシリコーンオイル、パーフルオロアクリレートポリマー、パーフルオロアルキルポリエーテル等を使用することができる。添加量は、本発明のエアゾール組成物の性質を損なわない程度に、適宜選択することができる。
【００２８】
本発明の組成物をエアゾール容器へ充填する方法は、当該分野で通常用いられている方法を用いることができる。例えば、噴射剤以外の組成物成分を混合したものをエアゾール容器に充填後、エアゾールバルブをクリンプし、バルブ先端より噴射剤を充填する方法などが挙げられる。噴射剤以外の組成物成分を混合する方法は、特に制限されず、必要に応じて加熱してもよい。
【００２９】
浮遊物
本明細書において、浮遊物とは、大気中に浮遊又は飛散する塵、埃、花粉等を含む。本発明のエアゾール組成物は、これらの浮遊物の中でも、特に、花粉が繊維製品に付着するのを効果的に防止することができる。
【００３０】
花粉の種類も限定されず、あらゆる種類の花粉に対して効果を発揮する。スギ、ヒノキ、カモガヤ、ブタクサ、ヨモギ、イネ、ハンノキ等の花粉が例示できる。また、花粉の大きさや形状も限定されない。
【００３１】
対象物
本発明のエアゾール組成物を使用する対象物は、繊維製品が好ましい。繊維製品の種類は限定されない。繊維製品の原料として使用する繊維としては、木綿、カポック等の種子毛繊維、亜麻、大麻、黄麻、苧麻、ケナフ、芭蕉布等の靱皮繊維、アバカ、サザイル、ヘニケン等の葉脈繊維、椰子などの果実繊維、パルプ等の天然セルロース繊維、ビスコースレーヨン、銅アンモニア法レーヨン、ポリノジック等の再生セルロース繊維、テンセル等の精製セルロース等のセルロース系繊維、羊毛、シルク等の動物性繊維、ポリアミド、ポリエステル、ポリアクリル等の合成繊維、ガラス、炭素、アルミナ等無機繊維、銅、アルミニウム、金等の金属繊維等が挙げられる。
【００３２】
これらを製品にしたもの（繊維製品）としては、シャツ、ブラウス、スカート、スーツ、スラックス、ズボン、ジーパン、綿パン、コート、ブルゾン、ウインドブレーカー、スウェットスーツ、ジャージ、パンツ、トランクス、ブラジャー、靴下、マフラー、手袋、マスク、カーデガン、フリース、ダウンジャケット、セーター、帽子、よだれかけ、エプロン、腕カバー、枕カバー、布団カバー、座布団カバー、シーツ、ハンカチ、タオル、バスタオル等がある。
【００３３】
（２）本発明エアゾール組成物の使用
上記のようにして得られた本発明のエアゾール組成物は、好ましくは、対象とする繊維製品に均一になるように噴射すればよい。噴射量は、十分な浮遊物付着防止効果が得られれば限定されない。
【００３４】
噴射前には、シリカをより均一に分散媒に分散させるために、エアゾール組成物を含むエアゾール容器を振盪してもよい。また、噴射した後は、必要に応じて、繊維製品を乾燥すればよい。乾燥の条件も限定されない。例えば、室温で放置しておけばよい。また、短時間に乾燥させたい場合には、得られた繊維製品を温める等の手段を用いることも可能である。
【発明の効果】
【００３５】
本発明の新規なエアゾール組成物によれば、繊維製品等の風合いを保ったままで、繊維製品等に優れた浮遊物付着防止効果を付与することができる。また、本発明の組成物を用いた浮遊物の付着防止は、噴射することにより行うことができるので、非常に簡便であり、家庭でも行うことができる。更に、噴射されるので、複雑な形状の繊維製品に対しても容易に適用することができる。
【発明を実施するための最良の形態】
【００３６】
以下、実施例を示し、本発明の特徴を一層明確にする。本発明はこれら実施例に限定されるものではない。
【００３７】
実施例１
平均粒径8〜12nmのシリカ粉末100重量部に対して、エタノール4000重量部及び水10000重量部を混合し、エアゾール組成物の原液を作製した。当該原液と5900重量部のDMEをエアゾール容器（噴霧器）に充填し、エアゾール組成物を得た。
【００３８】
比較例１
平均粒径8〜12nmのシリカ粉末100重量部に対して、エタノール80重量部及び水100重量部を混合し、エアゾール組成物の原液を作製した。当該原液と120重量部のDMEをエアゾール容器（噴霧器）に充填し、エアゾール組成物を得た。
【００３９】
試験例１
実施例1及び比較例1で得られたエアゾール組成物を30cm×30cmのナイロンに均一になるように吹き付けて（約10g）、2時間乾燥させた。この試験布を下記の２つの試験に使用した。
【００４０】
（１）花粉除去試験
上記の試験片に花粉（スギ）を付着させた後、手で軽く払うことにより、花粉を除去した。同一区画内における手で払う前後の状態を電子顕微鏡により撮影し（図1）、各々の花粉の個数をカウントした。これらの個数から、以下の式を用いて花粉の減少率を求めた。
【００４１】
減少率（％）＝〔（除去前の花粉の数−除去後の花粉の数）／除去前の花粉の数〕×100
何も噴霧していないナイロン（ブランク）の花粉の減少率が21.5%であったのに対し、実施例１のエアゾール組成物を噴霧したナイロンの花粉の減少率は85.4%であった。
【００４２】
（２）風合い試験
JIS L 1096-1999 一般織物試験法 8.19.1剛軟性 A法（45°カンチレバー法）により、何も噴霧していないナイロン、実施例1のエアゾール組成物を噴霧したナイロン及び比較例1のエアゾール組成物を噴霧したナイロンの風合い試験を行った。結果を表１に示す。
【００４３】
【表１】
2005256192.tif 000002
【００４４】
これらの結果から、実施例1のエアゾール組成物を噴霧したナイロンは、ブランクのナイロンと同程度の風合いを示した。このことから、本発明のエアゾール組成物は、風合いには影響を及ぼさないことがわかる。
【００４５】
これに対して、比較例1のエアゾール組成物を噴霧したナイロンは、ブランクのナイロンに比して風合いが悪化していることがわかる。
【図面の簡単な説明】
【００４６】
【図１】試験例１の花粉除去試験におけるマイクロスコープの結果を示す。左図は、手で払う前の図を示し、右図は、手で払った後の図を示す。
【図１】
2005256192.tif 000003